(57)【要約】【課題】本発明は、表面に剥離剤層が形成されていても、剥がれることなく重ね貼りすることができ、かつ、貼り替えが困難な台紙なしシールを、少なくとも２つ以上組み合わせた台紙なしシールセットと、その貼付方法を提供することを課題とする。【解決手段】台紙なしシール１０は、シール基材２の表面に剥離剤を塗布した剥離剤層４による剥離領域１１と、剥離剤層４を形成しない非剥離領域１２とを有し、シール基材２の他方の面（裏面）に粘着剤を塗布した粘着剤層５による粘着領域１３と、粘着剤層５を形成しない非粘着領域１４とを有する。このような台紙なしシール１０を重ね貼りするには、先に貼着された台紙なしシール１０の少なくとも非剥離領域１２の一部に、後から貼着される台紙なしシール１０の少なくとも粘着領域１３の一部を重ね合わせて貼着する。【選択図】        図２
2004348087.tif 000002
【特許請求の範囲】
【請求項１】
長尺状のシール基材の一方の面に剥離剤層による剥離領域と、前記剥離剤層を形成しない非剥離領域と、を設け、他方の面に粘着剤層による粘着領域と、前記粘着剤層を形成しない非粘着領域と、を設けるとともに、
前記シール基材をロール状に巻回したときに互いに対接する位置に前記剥離領域および前記粘着領域を設け、かつ、前記シール基材を所定の間隔で切断した台紙なしシールを、少なくとも２つ以上組み合わせたことを特徴とする台紙なしシールセット。
【請求項２】
前記剥離領域および前記粘着領域は、これを前記シール基材の長さ方向に設けるとともに、前記剥離領域の幅は、前記粘着領域の幅よりこれを広く形成し、前記非剥離領域の幅は、前記非粘着領域の幅よりこれを狭く形成した前記台紙なしシールを、少なくとも２つ以上組み合わせたことを特徴とする請求項１記載の台紙なしシールセット。
【請求項３】
前記剥離領域および前記粘着領域は、これを前記シール基材の幅方向の両端部に設け、前記非剥離領域および非粘着領域は、これを前記シール基材の幅方向の中央部に設けた前記台紙なしシールを、少なくとも２つ以上組み合わせたことを特徴とする請求項１乃至２記載の台紙なしシールセット。
【請求項４】
請求項１乃至３の何れかに記載の台紙なしシールと、前記台紙なしシールの同一面における反転した位置に前記剥離領域および前記粘着領域を設けた台紙なしシールとを、少なくとも２つ以上組み合わせたことを特徴とする請求項１乃至３記載の台紙なしシールセット。
【請求項５】
請求項１乃至４の何れかに記載の台紙なしシールを被貼付物に貼着し、前記被貼付物に貼着された台紙なしシールの少なくとも非剥離領域の一部に、別の台紙なしシールの少なくとも粘着領域の一部を重ね合わせて貼着することを特徴とする台紙なしシールセットの貼付方法。
【請求項６】
請求項１乃至４の何れかに記載の台紙なしシールを被貼付物に貼着し、前記被貼付物の一部と、前記被貼付物に貼着された台紙なしシールの少なくとも非剥離領域の一部とに、別の台紙なしシールの粘着領域を重ね合わせて貼着することを特徴とする請求項５記載の台紙なしシールセットの貼付方法。
【発明の詳細な説明】
【０００１】
【発明の属する技術分野】
本発明は、台紙なしシールを少なくとも２つ以上組み合わせた、台紙なしシールセットおよびその貼付方法に関するものである。
【０００２】
【従来の技術】
従来の一般的なシール（ラベル）は、台紙（剥離紙）上に粘着剤層を介してシールが仮着されている。このシールを使用するにはシールを台紙から剥離して被貼付物に貼付することから、シールの使用後には台紙がゴミとして廃棄されるという問題がある。そこで、このようなゴミとして廃棄される台紙を用いないシールとして、台紙なしシールがある。
【０００３】
図１２は、従来の台紙なしシールを示す概略断面図である。従来の台紙なしシール１は、長尺状のシール基材２の一方の面（表面）の全面に剥離剤層４が形成され、他方の面（裏面）の全面に粘着剤層５が形成されている。よって、このような従来の台紙なしシール１をロール状に巻回したとき、内周に位置する基材２の剥離剤層４に、外周に位置する基材２の粘着剤層５が連続して接するので、長尺状に連続して剥離することができる。ゆえに、従来の一般的なシールのように台紙を設ける必要がない。
【０００４】
こうした従来の台紙なしシール１は、シール基材２と、剥離剤層４と、の間に印刷層３を設けることにより所定の内容が表示されている。また、図示せぬプリンタにより剥離剤層４の表面に熱転写印字（図示省略）したり、シール基材２に感熱紙を用いて表面の感熱層を発色させて（図示省略）所定の内容が表示されている。
【０００５】
また、従来の台紙なしシール１は、１単位（１枚）ごとにプリンタのカッタ（図示省略）により切断したり、シール基材２の幅方向にあらかじめ形成されたミシン目（図示省略）から切り離して使用する。
【０００６】
上述した、従来の一般的なシールや、従来の台紙なしシール１には様々な運用方法がある。たとえば、シールを貼り付けた後は剥がせないようにした運用方法や、シールを貼り付けた後に必要に応じて剥がせるようにした運用方法があり、各々の運用方法に適したシールが用いられている。
【０００７】
前述のシールを貼付けた後は剥がせないようにした運用方法の一つに、シールの重ね貼りがある。たとえば、スーパーマーケットの生鮮売場において、商品を売り切って在庫が残らないようにする目的で、値引きシールを重ね貼りする運用方法がある。この場合、閉店１時間前は「１割引」、３０分前には「２割引」、１５分前には「半額」、というように値引率の高いシールを重ね貼りしていく。先に貼られた値引きシールは、後から重ね貼りされる値引きシールで隠され、最表層に位置する値引きシールの表示が有効となるものである。
【０００８】
【特許文献１】
特開平７−２８１６０７号公報
【０００９】
【発明が解決しようとする課題】
しかしながら、従来の台紙なしシール１は、そのシール基材２の表面に剥離剤層４が形成されているため、この剥離剤層４に重ね貼りされる別のシールが貼り付きにくく剥がれやすいという問題があった。
【００１０】
また、こうした従来の台紙なしシール１の表面に別のシールを重ね貼りしても、重ね貼りした値引率や値引金額の大きい別のシールが意図的に剥がされ、他の商品に貼り替えられる恐れがあるという問題があった。
【００１１】
本発明はかかる問題点をかんがみてなされたものであり、その目的とするところは、表面に剥離剤層が形成されていても、剥がれることなく重ね貼りすることができ、かつ、貼り替えが困難な台紙なしシールを、少なくとも２つ以上組み合わせた台紙なしシールセットと、その貼付方法を提供することを目的とする。
【００１２】
【課題を解決するための手段】
本発明は上記課題を解決すべく、以下に掲げる構成とした。
請求項１記載の発明の要旨は、長尺状のシール基材の一方の面に剥離剤層による剥離領域と、前記剥離剤層を形成しない非剥離領域と、を設け、他方の面に粘着剤層による粘着領域と、前記粘着剤層を形成しない非粘着領域と、を設けるとともに、前記シール基材をロール状に巻回したときに互いに対接する位置に前記剥離領域および前記粘着領域を設け、かつ前記シール基材を所定の間隔で切断した台紙なしシールを、少なくとも２つ以上組み合わせたことを特徴とする台紙なしシールセットに存する。
また請求項２記載の発明の要旨は、前記剥離領域および前記粘着領域は、これを前記シール基材の長さ方向に設けるとともに、前記剥離領域の幅は、前記粘着領域の幅よりこれを広く形成し、前記非剥離領域の幅は、前記非粘着領域の幅よりこれを狭く形成した前記台紙なしシールを、少なくとも２つ以上組み合わせたことを特徴とする請求項１記載の台紙なしシールセットに存する。
また請求項３記載の発明の要旨は、前記剥離領域および前記粘着領域は、これを前記シール基材の幅方向の両端部に設け、前記非剥離領域および非粘着領域は、これを前記シール基材の幅方向の中央部に設けた前記台紙なしシールを、少なくとも２つ以上組み合わせたことを特徴とする請求項１乃至２記載の台紙なしシールセットに存する。
また請求項４記載の発明の要旨は、請求項１乃至３の何れかに記載の台紙なしシールと、前記台紙なしシールの同一面における反転した位置に前記剥離領域および前記粘着領域を設けた台紙なしシールとを、少なくとも２つ以上組み合わせたことを特徴とする請求項１乃至２記載の台紙なしシールセットに存する。
また請求項５記載の発明の要旨は、請求項１乃至４の何れかに記載の台紙なしシールを被貼付物に貼着し、前記被貼付物に貼着された台紙なしシールの少なくとも非剥離領域の一部に、別の台紙なしシールの少なくとも粘着領域の一部を重ね合わせて貼着することを特徴とする台紙なしシールセットの貼付方法に存する。
また請求項６記載の発明の要旨は、請求項１乃至４の何れかに記載の台紙なしシールを被貼付物に貼着し、前記被貼付物の一部と、前記被貼付物に貼着された台紙なしシールの少なくとも非剥離領域の一部とに、別の台紙なしシールの粘着領域を重ね合わせて貼着することを特徴とする請求項５記載の台紙なしシールセットの貼付方法に存する。
【００１３】
【発明の実施の形態】
以下、本発明の実施の形態を図面に基づいて詳細に説明する。なお、従来技術と同様の部分には同一符号を付し、その詳述はこれを省略する。
【００１４】
なお、以下の説明において、本発明に係る台紙なしシールを少なくとも２つ以上組み合わせたものを台紙なしシールセットと称して説明する。
【００１５】
まず、本発明の第１の実施の形態による台紙なしシールについて、図１および図２にもとづいて説明する。図１は、第１の実施の形態の台紙なしシールを示す斜視図である。図２は、図１に示すＡ−Ａ方向概略断面図である。
【００１６】
第１の実施の形態の台紙なしシール１０は、図１を参照すると、シール基材の一方の面（表面）に剥離領域１１と非剥離領域１２とを有し、剥離領域１１と非剥離領域１２とが表出するようにロール状に巻回され、シール基材の幅方向にあらかじめ所定の間隔で形成されたミシン目１５によって、１枚の台紙なしシール１０として切り離すことができる。なお、台紙なしシール１０に所定の内容を表示するために図示せぬプリンタを用いる場合は、台紙なしシール１０にミシン目１５を形成せず、プリンタのカッタ装置を使用して切断するようにしてもよい。
【００１７】
台紙なしシール１０は、図２を参照すると、シール基材２の表面に剥離剤を塗布した剥離剤層４による剥離領域１１と、剥離剤層４を形成しない非剥離領域１２とを有し、シール基材２の裏面に粘着剤を塗布した粘着剤層５による粘着領域１３と、粘着剤層５を形成しない非粘着領域１４とを有する。また、シール基材２の表面に印刷インキを印刷した印刷層３が設けられ、図１に示す「表示価格の１割引」といった所定の内容が表示される。
【００１８】
これらの剥離領域１１、非剥離領域１２、粘着領域１３および非粘着領域１４は、シール基材２の長さ方向に連続して設けられ、図１のように台紙なしシール１０をロール状に巻き取ったときに、剥離領域１１と粘着領域１３とが、非剥離領域１２と非粘着領域１４とが、互いに対接する位置にそれぞれを設ける。
【００１９】
また、剥離領域１１の幅は、粘着領域１３の幅よりこれを広く形成する。または、非剥離領域１２の幅は、非粘着領域１４の幅よりこれを狭く形成する。これにより、台紙なしラベル１０をロール状に巻き取ったときに、剥離領域１１が粘着領域１３を隠蔽し、粘着領域１３が非剥離領域１２に接することがない。したがって、台紙なしシール１０をロール状の巻き取りから円滑に引き出すことができる。なお、剥離領域１１および粘着領域１３の幅は、シール基材２の幅方向において２０〜８０％の範囲で適宜に可変して設けることができる。
【００２０】
シール基材２は、たとえば、紙、合成樹脂フィルム、これらの積層体や複合材を用いることができるが、後述する、重ね貼りしたシールを剥がしたときにシールが破れるようにするためには、紙を用いることが望ましい。また、紙や合成樹脂フィルムを基体とした感熱紙を用いてもよい。感熱紙とシールプリンタとを用いることによって、文字、数字、バーコード等の可変情報を印字することができる。
【００２１】
粘着剤層５を形成する粘着剤は、たとえば、エマルジョン系、ソルベント系、ホットメルト系の粘着剤を用いることができ、素材は、アクリル系、ゴム系など任意である。粘着特性は被貼付物に種類に応じて選定するが、強粘、超強粘、冷凍糊と呼ばれる粘着力（ＪＩＳ  Ｚ  ０２３７  １８０度引きはがし法で５００ｇ／２５ｍｍ以上、望ましくは８００ｇ／２５ｍｍ以上）であることが望ましい。
【００２２】
剥離剤層４を形成する剥離剤は、たとえば、熱硬化型、紫外線硬化型、電子線硬化型の剥離剤を用いることができ、その硬化型の種類や剥離能力は粘着剤に合わせて選択することができる。
【００２３】
次に、本発明の第１の実施の形態による台紙なしシールセットを用いた貼付方法について、図３から図５にもとづいて説明する。図３は、第１の実施の形態の台紙なしシール１枚を用いた貼付方法を説明するための説明図である。図４は、第１の実施の形態の台紙なしシール２枚（シールセット）を用いた貼付方法を説明するための説明図である。図５は、第１の実施の形態の台紙なしシール３枚（シールセット）を用いた貼付方法を説明するための説明図である。
【００２４】
図３に示す、被貼付物１６は、発泡スチロール製のトレイに鮮魚（商品）をラップフィルムで包装したものであり、ラップフィルムの表面には品名、価格、バーコード等が表示された価格シールが貼着されている。この被貼付物１６に、第１の値下げシールとして、たとえば「表示価格の１割引」という台紙なしシール１０を貼着する。台紙なしシール１０を貼着する位置は限定しないが、前述のように表示価格から値引きする場合は、価格シールの表示を隠蔽しない位置に貼着する。
【００２５】
前述の商品をより値下げしたい場合は、図４に示すように、第２の値下げシールとして、たとえば「表示価格の２割引」という台紙なしシール１０を、第１の値下げシールである「表示価格の１割引」という台紙なしシール１０に重ねて貼着する。詳しくは、第１の値下げシールである「表示価格の１割引」という台紙なしシール１０の非剥離領域１２に、第２の値下げシールである「表示価格の２割引」という台紙なしシール１０の粘着領域１３を重ね合わせて貼着する。
【００２６】
前述の商品をさらに値下げしたい場合は、図５に示すように、第３の値下げシールとして、たとえば「表示価格の３割引」という台紙なしシール１０を、第２の値下げシールである「表示価格の２割引」という台紙なしシール１０に重ねて貼着する。詳しくは、第２の値下げシールである「表示価格の２割引」という台紙なしシール１０の非剥離領域１２に、第３の値下げシールである「表示価格の３割引」という台紙なしシール１０の粘着領域１３を重ね合わせて貼着する。
【００２７】
次に、本発明の第１の実施の形態による台紙なしシールセットを用いた他の貼付方法について、図６にもとづいて説明する。図６は、第１の実施の形態の台紙なしシール２枚（シールセット）を用いた他の貼付方法を説明するための説明図である。
【００２８】
まず、図６に示す被貼付物１６に、第１の値下げシールとして、たとえば「表示価格の１００円引」という台紙なしシール１０を貼着する。次に、被貼付物１６の一部と、第１の値下げシールである「表示価格の１００円引」という台紙なしシール１０の非剥離領域１２の一部とに、第２の値下げシールとして、たとえば「表示価格の２割引」という台紙なしシール１０の粘着領域１３を重ね合わせて貼着する。
【００２９】
第２の値下げシールである台紙なしシール１０は、被貼付物１６の一部と、第１の値下げシールである台紙なしシール１０の少なくとも非剥離領域１２の一部とに、重ね合わせて貼着されればよく、図６に示すように、第１の値下げシールである台紙なしシール１０に対し、第２の値下げシールである台紙なしシール１０を交差させて貼着したり、第１の値下げシールである台紙なしシール１０に対し、第２の値下げシールである台紙なしシール１０を平行にずらして貼着してもよい。
【００３０】
前述のとおり、第１の実施の形態による台紙なしシールセットは、先に貼着された台紙なしシール１０の剥離剤層４を形成しない非剥離領域１２に、後から貼着される台紙なしシール１０の粘着領域１３を重ね合わせて貼着するので、剥がれることなく重ね貼りすることができる。
【００３１】
また、第１の実施の形態による台紙なしシールセットを用いた貼付方法では、先に貼着された台紙なしシール１０に、後から貼着される台紙なしシール１０を各々重ねて貼着するので、先に貼着された台紙なしシール１０の表示内容が隠蔽されて確認できず、後から貼着され最表層に位置する台紙なしシール１０の表示内容のみを認識することができる。
【００３２】
また、先に貼着された台紙なしシール１０の非剥離領域１２に、後から貼着される台紙なしシール１０の粘着領域１３を各々重ねて貼着するので、後から貼着された台紙なしシール１０は簡単に剥がすことができず、これを無理に剥がすと後から貼着された台紙なしシール１０が破れるため、貼り替えの不正を防止することができる。
【００３３】
さらに、前述のように後から貼着された台紙なしシール１０を無理に剥がすと、先に貼着された台紙なしシール１０のシール基材２の表面層が剥離して、剥がした台紙なしシール１０の粘着剤層５を覆い、剥がした台紙なしシール１０は他の被貼付物１６に貼着できないため、貼り替えの不正を防止することができる。
【００３４】
なお、台紙なしシール１０に任意の形状で切り込みを設けてもよい。この切り込みを設けることによって、台紙なしシール１０を無理に剥がすと台紙なしシール１０がより破れ易くなり、貼り替えの不正を防止することができる。
【００３５】
次に、本発明の第２の実施の形態による台紙なしシールについて、図７および図８にもとづいて説明する。図７は、第２の実施の形態の台紙なしシールを示す平面図である。図８は、図７に示すＢ−Ｂ方向概略断面図である。
【００３６】
第２の実施の形態の台紙なしシール２０は、図７および図８を参照すると、シール基材２表面の幅方向における両端部に剥離剤層４による剥離領域１１を設け、シール基材２表面の幅方向における中央部に剥離剤層４を形成しない非剥離領域１２を設けるとともに、シール基材２裏面の幅方向における両端部に粘着剤層５による粘着領域１３を設け、シール基材２裏面の幅方向における中央部に剥離剤層４を形成しない非粘着領域１４を設ける。
【００３７】
また、シール基材２表面に印刷インキを印刷した印刷層３が設けられ、図７に示す「１割引」といった所定の内容が表示される。なお、印刷層３は、シール基材２表面に剥離剤層４が形成される部分では、シール基材２と剥離剤層４との間にこれを形成する。このような台紙なしシール２０は、シール基材２の幅方向にあらかじめ形成されたミシン目１５によって、１枚の台紙なしシール２０として切り離すことができる。
【００３８】
なお、剥離領域１１および粘着領域１３は、シール基材２の幅方向の両端部に設ければよく、これを左右対称に設けなくてもよい。つまり、一端部に形成される剥離領域１１および粘着領域１３の幅が、他端部に形成される剥離領域１１および１３の幅よりも、広くまたは狭く形成してもよい。
【００３９】
このように、剥離剤層４による剥離領域１１および粘着剤層５による粘着領域１３をシール基材２の幅方向における両端部に設けることによって、台紙なしシール２０は幅方向の両端部に層構造を有するようになり、これをロール状に巻回したときに巻ずれを防止することができる。
【００４０】
次に、本発明の第２の実施の形態による台紙なしシールセットを用いた貼付方法について、図９にもとづいて説明する。図９は、第２の実施の形態の台紙なしシール２枚（シールセット）を用いた貼付方法を説明するための説明図である。
【００４１】
まず、図９に示す被貼付物１６に、第１の値下げシールとして台紙なしシール２０を貼着する。次に、被貼付物１６の一部と、第１の値下げシールである台紙なしシール２０の非剥離領域１２に、第２の値下げシールとして台紙なしシール２０の粘着領域１３を重ね合わせて貼着する。
【００４２】
さらに、図示せぬ第３の値下げシールとして台紙なしシール２０を貼着する場合は、被貼付物１６の一部と、第２の値下げシールである台紙なしシール２０の非剥離領域１２に、第３の値下げシールとして台紙なしシール２０の粘着領域１３を重ね合わせて貼着すればよい。
【００４３】
次に、本発明の第３の実施の形態による台紙なしシールについて、図１０および図１１にもとづいて説明する。図１０は、第３の実施の形態の台紙なしシールによる一例を示す平面図である。図１１は、第３の実施の形態の台紙なしシールによる他の例を示す平面図である。
【００４４】
第３の実施の形態は、第１の実施の形態および第２実施の形態で説明した台紙なしシール１０または台紙なしシール２０と、これら台紙なしシール１０または台紙なしシール２０の同一面における反転した位置に剥離領域１１および粘着領域１３を設けた台紙なしシールとを、組み合わせたものである。
【００４５】
図１０に示す台紙なしシール１０は、図１および図２に示す台紙なしシール１０と同一構成であり、その詳細な構成は前述のとおりである。図１１に示す台紙なしシール３０は、図１０に示す台紙なしシール１０とは同一面における反転した位置に剥離領域１１と非剥離領域１２とが設けられている。
【００４６】
この台紙なしシール３０の概略断面に関して図２（台紙なしシール１０の概略断面図）を用いて説明すると、台紙なしシール３０は、台紙なしシール１０のシール基材２の表面における反転した位置に剥離領域１１と非剥離領域１２とが設けられ、これに対応してシール基材２の裏面における反転した位置に粘着領域１３と非粘着領域１４とが設けられる。つまり、台紙なしシール３０は、台紙なしシール１０の同一面における反転した位置に剥離領域１１および粘着領域１３が設けられる。
【００４７】
このように構成された台紙なしシール１０および台紙なしシール３０は、互いに四隅を重ね合わせて貼着することができる。つまり、第１の値下げシールとして貼着された台紙なしシール１０の四隅に、第２の値下げシールとして台紙なしシール３０の四隅を重ね合わせて貼着すると、台紙なしシール１０の非剥離領域１２に、台紙なしシール３０の粘着領域１３が貼着される。このように、台紙なしシール１０と、台紙なしシール３０と、を互いに用いれば、台紙なしシールの四隅を重ね合わせて貼着することができる。
【００４８】
上記の貼付方法は、台紙なしシール１０と、台紙なしシール３０とを用いて説明したが、台紙なしシール２０と、台紙なしシール２０の同一面における反転した位置に剥離領域１１および粘着領域１３を設けた台紙なしシールと、を用いてもよい。
【００４９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。
【００５０】
【発明の効果】
以上説明したとおり、本発明の台紙なしシールセットおよびその貼付方法によれば、台紙なしシールの表面に剥離剤層を形成しない非剥離領域を設け、先に貼着された台紙なしシールの非剥離領域に、後から貼着される台紙なしシールの粘着領域を重ね合わせて貼着することによって、剥がれることなく重ね貼りすることができる。
【００５１】
また、先に貼着された台紙なしシールの非剥離領域に、後から貼着される台紙なしシールの粘着領域を各々重ねて貼着するので、後から貼着された台紙なしシールは簡単に剥がすことができず、これを無理に剥がすと後から貼着された台紙なしシールが破れるため、貼り替えの不正を防止することができる。
【００５２】
さらに、先に貼着された台紙なしシールの非剥離領域に、後から貼着される台紙なしシールの粘着領域を各々重ねて貼着するので、後から貼着された台紙なしシールを無理に剥がすと、先に貼着された台紙なしシールのシール基材の表面層が剥離して、剥がした台紙なしシールの粘着剤層を覆うことから、剥がした台紙なしシールは他の被貼付物に貼着できなくなり、貼り替えの不正を防止することができる。
【図面の簡単な説明】
【図１】第１の実施の形態の台紙なしシールを示す斜視図。
【図２】図１に示すＡ−Ａ方向概略断面図。
【図３】第１の実施の形態の台紙なしシール１枚を用いた貼付方法を説明するための説明図である。
【図４】第１の実施の形態の台紙なしシール２枚（シールセット）を用いた貼付方法を説明するための説明図である。
【図５】第１の実施の形態の台紙なしシール３枚（シールセット）を用いた貼付方法を説明するための説明図である。
【図６】第１の実施の形態の台紙なしシール２枚（シールセット）を用いた他の貼付方法を説明するための説明図である。
【図７】第２の実施の形態の台紙なしシールを示す平面図。
【図８】図７に示すＢ−Ｂ方向概略断面図。
【図９】第２の実施の形態の台紙なしシール２枚（シールセット）を用いた貼付方法を説明するための説明図である。
【図１０】第３の実施の形態の台紙なしシールによる一例を示す平面図。
【図１１】第３の実施の形態の台紙なしシールによる他の例を示す平面図。
【図１２】従来の台紙なしシールを示す概略断面図。
【符号の説明】
１  従来の台紙なしシール
２  シール基材
３  印刷層
４  剥離剤層
５  粘着剤層
１０、２０、３０  台紙なしシール
１１  剥離領域
１２  非剥離領域
１３  粘着領域
１４  非粘着領域
１５  ミシン目
１６  被貼付物
【図１】
2004348087.tif 000003
【図２】
2004348087.tif 000004
【図３】
2004348087.tif 000005
【図４】
2004348087.tif 000006
【図５】
2004348087.tif 000007
【図６】
2004348087.tif 000008
【図７】
2004348087.tif 000009
【図８】
2004348087.tif 000010
【図９】
2004348087.tif 000011
【図１０】
2004348087.tif 000012
【図１１】
2004348087.tif 000013
【図１２】
2004348087.tif 000014